(57)【要約】【課題】簡単な構成で、１つの変復調器で複数の端末が外部と通信を行うことができる回線切替器を提供する。【解決手段】回線切替器２２は、通信回線３を介して接続されるホスト４との間で送受信する信号を変復調するモデム２１と、第１の端末２９、第２の端末３０が接続される複数のポート３６、３７と、モデム２１と各ポート３６、３７間に、各ポート３６、３７に対応して設けられた電圧変換部３１、３２と、電圧変換部３１、３２に対するサンプリングにて、各ポート３６、３７が出力する端末選択信号を収集するＣＰＵ３３とを備え、ＣＰＵ３３が収集した端末選択信号に応じて、モデム２１と端末選択信号を出力したポート間の伝送路を確立する。【選択図】        図３
2004357087.tif 000002
【特許請求の範囲】
【請求項１】
通信回線を介して接続される外部との間で送受信する信号を変復調する変復調器と、
所定の情報処理装置が接続される複数のポートと、
前記変復調器と前記各ポート間に、前記各ポートに対応して設けられた電圧変換部と、
前記電圧変換部に対するサンプリングにて、前記各ポートが出力する端末選択信号を収集する収集手段と、
前記収集手段が収集した端末選択信号に応じて、前記変復調器と前記端末選択信号を出力したポート間の伝送路を確立する伝送路確立手段とを備えたことを特徴とする回線切替器。
【請求項２】
前記端末選択信号は、前記情報処理装置が出力する受信可能状態を示す信号であることを特徴とする請求項１記載の回線切替器。
【請求項３】
前記端末選択信号は、前記情報処理装置が出力する前記変復調器への送信を要求するための信号であることを特徴とする請求項１記載の回線切替器。
【請求項４】
前記端末選択信号は、前記情報処理装置が出力する前記変復調器への制御コマンドであることを特徴とする請求項１記載の回線切替器。
【請求項５】
前記回線切替器は更に、前記収集手段が収集する端末選択信号を、前記情報処理装置が出力する受信可能状態を示す信号、前記情報処理装置が出力する前記変復調器への送信を要求するための信号、及び前記情報処理装置が出力する前記変復調器への制御コマンドの中から少なくともいずれか一つ選択する選択スイッチを備えることを特徴とする請求項１記載の回線切替器。
【請求項６】
通信回線を介して接続される外部との間で送受信する信号を変復調する変復調器と、
所定の情報処理装置が接続される複数のポートと、
前記各ポートが出力する前記変復調器への制御コマンドを収集する収集手段と、
前記収集手段が収集した制御コマンドの出力に応じて、前記変復調器と前記制御コマンドを出力したポート間の伝送路を確立する伝送路確立手段とを備えたことを特徴とする回線切替器。
【請求項７】
前記回線切替器は更に、前記変復調器と前記各ポート間に設けられた電圧切換器を備え、
前記収集手段は、前記電圧変換部に対するサンプリングにて、前記各ポートが出力する制御コマンドを収集することを特徴とする請求項６記載の回線切替器。
【請求項８】
前記回線切替器は更に、内線と、
前記通信回線を介して受信した信号中から識別子を検出する検出手段と、
前記検出手段の検出結果に応じて、前記通信回線の着信先を、前記変復調器側又は前記内線側に切り替える着信切替手段とを備えることを特徴とする請求項１から請求項７のいずれか一項に記載の回線切替器。
【請求項９】
前記着信切替手段は、前記通信回線の着信先を前記変復調器側に切り替えた際に、前記変復調器と前記検出手段が検出した識別子に対応したポート間の伝送路を確立することを特徴とする請求項８記載の回線切替器。
【請求項１０】
前記着信切替手段は、前記通信回線からの着信後、所定期間内に前記識別子が検出されないときは、前記通信回線の着信先を前記内線側に切り替えることを特徴とする請求項８又は請求項９記載の回線切替器。
【請求項１１】
変復調器と複数のポートを備えた回線切替器と、前記各ポートに接続された複数の第１情報処理装置と、通信回線を介して前記変復調器に接続された第２情報処理装置とを備えたシステムであって、
前記回線切替器は、請求項１から請求項１０のいずれか一項に記載の回線切替器であることを特徴とするシステム。
【請求項１２】
通信回線を介して接続される外部との間で送受信する信号を変復調する変復調器と、所定の情報処理装置が接続される複数のポート間の伝送路を確立する伝送路確立方法であって、
前記各ポートに対応して設けられた電圧変換部に対するサンプリングにて、前記各ポートが出力する端末選択信号を収集する第１段階と、
前記第１段階により収集した端末選択信号に応じて、前記変復調器と前記端末選択信号を出力したポート間の伝送路を確立する第２段階とを有することを特徴とする伝送路確立方法。
【請求項１３】
前記端末選択信号は、前記情報処理装置が出力する受信可能状態を示す信号であることを特徴とする請求項１２記載の伝送経路確立方法。
【請求項１４】
前記端末選択信号は、前記情報処理装置が出力する前記変復調器への送信を要求するための信号であることを特徴とする請求項１２記載の伝送経路確立方法。
【請求項１５】
前記端末選択信号は、前記情報処理装置が出力する前記変復調器への制御コマンドであることを特徴とする請求項１２記載の伝送経路確立方法。
【請求項１６】
前記伝送経路確立方法は更に、前記第１段階により収集する端末選択信号を、前記情報処理装置が出力する受信可能状態を示す信号、前記情報処理装置が出力する前記変復調器への送信を要求するための信号、及び前記情報処理装置が出力する前記変復調器への制御コマンドの中から少なくともいずれか一つを選択する第３段階を有することを特徴とする請求項１２記載の伝送経路確立方法。
【請求項１７】
通信回線を介して接続される外部との間で送受信する信号を変復調する変復調器と、所定の情報処理装置が接続される複数のポート間の伝送経路を確立する伝送路確立方法であって、
前記各ポートが出力する前記変復調器への制御コマンドを収集する第１段階と、
前記第１段階で収集した制御コマンドの出力に応じて、前記変復調器と前記制御コマンドを出力したポート間の伝送路を確立する第２段階とを有することを特徴とする伝送路確立方法。
【請求項１８】
前記第１段階は、前記変復調器と前記各ポート間に、前記各ポートに対応して設けられた電圧切換器に対するサンプリングにて、前記各ポートが出力する制御コマンドを収集することを特徴とする請求項１７記載の伝送路確立方法。
【請求項１９】
前記伝送路確立方法は更に、
前記通信回線から受信する信号中から識別子を検出する第３段階と、
前記第３段階の検出結果に応じて、前記通信回線の着信先を、前記変復調器側又は内線側に切り替える第４段階とを有することを特徴とする請求項１２から請求項１８のいずれか一項に記載の伝送路確立方法。
【請求項２０】
前記伝送路確立方法は更に、前記第４段階により前記通信回線の着信先を前記変復調器側に切り替えた際に、前記変復調器と前記第３段階により検出した識別子に対応する前記ポート間の伝送路を確立する第５段階を有することを特徴とする請求項１９記載の伝送経路確立方法。
【請求項２１】
前記第４段階は、前記通信回線から着信があった後、所定期間内に前記識別子が検出されないときは、前記通信回線の着信先を前記内線側に切り替えることを特徴とする請求項１９又は請求項２０記載の伝送経路確立方法。
【発明の詳細な説明】
【０００１】
【発明の属する技術分野】
本発明は、回線切替器、これを用いたシステム及び伝送路確立方法に関する。
【０００２】
【従来の技術】
通信回線を介してデータ送信を行う場合には、一般にモデムと呼ばれる変復調装置が用いられている。このモデムは、デジタル信号を搬送波で通信回線にのせるための変調器と通信回線の信号をデジタル信号に戻す働きをする復調器とによって構成されている。
【０００３】
図１は、従来のシステム概要を示す図である。図１に示すように、システム１は、回線切替器２、通信回線３、ホスト４、電話８、モデム９、１０、第１の端末１３、第２の端末１４を備える。ホスト４と、回線切替器２は、外線となる通信回線３を介して接続されている。回線切替器２と電話８は、内線５を介して接続されている。回線切替器２とモデム９、１０は内線６、７を介して接続されている。モデム９、１０と、第１の端末１３、第２の端末１４は、シリアル通信線１１、１２を介して接続されている。
【０００４】
しかし、ホスト４と第１の端末１３又は第２の端末１４とのモデム通信を行う場合、各端末ごとに専用のモデム９、１０を付設する必要があった。また、外線が１本しかないので、ホスト４とのモデム通信は、ホスト４と第１の端末１３間、又はホスト４と第２の端末１４間のどちらかになる。すなわち、どちらかのモデムは必ず待機状態にあった。
【０００５】
モデム９、１０は、パーソナルコンピュータ等の各端末ごとに用意された通信回線との間に接続されるのが一般的であるため、１つの端末毎にモデムが必要となり、コストがかかるという問題があった。このような問題点を解決する従来技術として以下のようなものが提案されている。
【０００６】
特許文献１は、複数の端末で１つのモデムを共用できるモデム装置について提案されている。このモデム装置の優先制御回路は、端末からのＥＲ信号を監視し、いずれかのＥＲ信号のオン変化を検出すると、ＣＨ１選択信号とＣＨ２選択信号の状態を調べ、いずれかがオン状態であった場合はそのチャネル側の端末が通信中であると判断し、引き続きＥＲ信号を監視する。
【０００７】
一方、ＣＨ１選択信号及びＣＨ２選択信号が共にオフであった場合は、ＥＲ信号のうちオンとなっている側のチャネル選択信号をオンに変化させる。そして、切換回路により第１の端末または第２の端末のいずれか一方がモデム部に接続され、所定のシーケンスで相手局との通信が行われるというものである。
【０００８】
特許文献２は、１個のモデムを複数の端末で共用するボタン電話装置について提案している。
【０００９】
特許文献３は、１個のモデムを複数の端末で共用する電話モデムについて提案している。
【００１０】
【特許文献１】
特開平５−１３０１６８号公報
【特許文献２】
実開平５−１８１５５号公報
【特許文献３】
特開平４−２６６２５４号公報
【発明が解決しようとする課題】
しかしながら、特許文献１記載のモデム装置では、優先制御回路及び切替回路が必要となり構成が複雑になるという問題があった。また、特許文献２記載のボタン電話装置では、１個のモデムを複数の端末で共用するようにしたものであるが、端末側からの発信動作については特に言及がされていない。
【００１１】
また、特許文献３記載の電話モデムでは、１個のモデムを複数の端末で共用するようにしたものであるが、複数のリレー部を設けなければならないため、構成が複雑になるという問題がある。
【００１２】
そこで、本発明は、これらの問題を解決するためになされたもので、簡単な構成で、１つの変復調器で複数の端末が外部と通信を行うことができる回線切替器、これを用いたシステム及び伝送路確立方法を提供することを目的とする。
【００１３】
【課題を解決するための手段】
上記課題を解決するために、請求項１記載の回線切替器は、通信回線を介して接続される外部との間で送受信する信号を変復調する変復調器と、所定の情報処理装置が接続される複数のポートと、前記変復調器と前記各ポート間に、前記各ポートに対応して設けられた電圧変換部と、前記電圧変換部に対するサンプリングにて、前記各ポートが出力する端末選択信号を収集する収集手段と、前記収集手段が収集した端末選択信号に応じて、前記変復調器と前記端末選択信号を出力したポート間の伝送路を確立する伝送路確立手段とを備えたことを特徴とする。
【００１４】
請求項１記載の発明によれば、端末選択信号に応じて、変復調器と端末選択信号を出力したポート間の伝送路を確立するようにしたので、１つの変復調器で複数の端末が外部と通信を行うことができる。これにより、複数の端末から１個の変復調器を制御することができる。
【００１５】
また、請求項２記載の発明は、端末選択信号の一例として、情報処理装置が出力する受信可能状態を示す信号（例えばＥＲ信号）を用いている。
【００１６】
また、請求項３記載の発明は、端末選択信号の一例として、情報処理装置が出力する変復調器への送信を要求するための信号（例えばＲＳ信号）を用いている。
【００１７】
また、請求項４記載の発明は、端末選択信号の一例として、情報処理装置が出力する変復調器へのＡＴコマンド等の制御コマンドを用いている。
【００１８】
また、請求項５記載の回線切替器は、請求項１記載の回線切替器において、更に、前記収集手段が収集する端末選択信号を、前記情報処理装置が出力する受信可能状態を示す信号、前記情報処理装置が出力する前記変復調器への送信を要求するための信号、及び前記情報処理装置が出力する前記変復調器への制御コマンドの中から少なくともいずれか一つ選択する選択スイッチを備えることを特徴とする。請求項５記載の発明によれば、収集する端末選択信号を選択することができるようにしたので、利用者にニーズに応じて端末の選択を行うことができる。
【００１９】
また、請求項６記載の回線切替器は、通信回線を介して接続される外部との間で送受信する信号を変復調する変復調器と、所定の情報処理装置が接続される複数のポートと、前記各ポートが出力する前記変復調器への制御コマンドを収集する収集手段と、前記収集手段が収集した制御コマンドの出力に応じて、前記変復調器と前記制御コマンドを出力したポート間の伝送路を確立する伝送路確立手段とを備えたことを特徴とする。
【００２０】
請求項６記載の発明によれば、制御コマンドの出力に応じて、変復調器と制御コマンドを出力したポート間の伝送路を確立するようにしたので、１つの変復調器で複数の端末が外部と通信を行うことができる。
【００２１】
また、請求項７記載の回線切替器は、請求項６記載の回線切替器において、更に、前記変復調器と前記各ポート間に設けられた電圧切換器を備え、前記収集手段は、前記電圧変換部に対するサンプリングにて、前記各ポートが出力する制御コマンドを収集することを特徴とする。請求項７記載の発明によれば、電圧変換部に対するサンプリングにて、各ポートから出力される制御コマンドを収集するようにしたので、制御コマンドを出力するポートを適切に監視することができる。
【００２２】
また、請求項８記載の回線切替器は、請求項１から請求項７のいずれか一項に記載の回線切替器において、更に、内線と、前記通信回線を介して受信した信号中から識別子を検出する検出手段と、前記検出手段の検出結果に応じて、前記通信回線の着信先を、前記変復調器側又は前記内線側に切り替える着信切替手段とを備えることを特徴とする。請求項８記載の発明によれば、検出手段が検出した識別子に応じて、通信回線の着信先を、変復調器又は内線に切り替えることができる。
【００２３】
また、本発明は、請求項９に記載のように、請求項８記載の回線切替器において、前記着信切替手段は、前記通信回線の着信先を前記変復調器側に切り替えた際に、前記変復調器と前記検出手段が検出した識別子に対応したポート間の伝送路を確立することを特徴とする。請求項９記載の発明によれば、通信回線の着信先を変復調器側に切り替えた際に、変復調器と検出した識別子に対応したポート間の伝送路を確立するようにしたので、１つの変復調器で外部が複数の端末と通信を行うことができる。
【００２４】
また、本発明は、請求項１０に記載のように、請求項８又は請求項９記載の回線切替器において、前記着信切替手段は、前記通信回線からの着信後、所定期間内に前記識別子が検出されないときは、前記通信回線の着信先を前記内線側に切り替えることを特徴とする。請求項１０記載の発明によれば、通信回線からの着信後、所定期間内に前記識別子が検出されないときは、前記通信回線の着信先を前記内線側に切り替えるようにしたので、適切に外部と内線を接続することができる。
【００２５】
また、請求項１１記載のシステムは、変復調器と複数のポートを備えた回線切替器と、前記各ポートに接続された複数の第１情報処理装置と、通信回線を介して前記変復調器に接続された第２情報処理装置とを備えたシステムであって、前記回線切替器は、請求項１から請求項１０のいずれか一項に記載の回線切替器であることを特徴とする。請求項１１記載の発明によれば、１つの変復調器で複数の端末が外部と通信を行うシステムを提供できる。
【００２６】
また、請求項１２記載の伝送路確立方法は、通信回線を介して接続される外部との間で送受信する信号を変復調する変復調器と、所定の情報処理装置が接続される複数のポート間の伝送路を確立する伝送路確立方法であって、前記各ポートに対応して設けられた電圧変換部に対するサンプリングにて、前記各ポートが出力する端末選択信号を収集する第１段階と、前記第１段階により収集した端末選択信号に応じて、前記変復調器と前記端末選択信号を出力したポート間の伝送路を確立する第２段階とを有することを特徴とする。
【００２７】
請求項１２記載の発明によれば、電圧切換器に対するサンプリングにて収集した端末選択信号に応じて、変復調器と端末選択信号を出力したポート間の伝送路を確立するようにしたので、１つの変復調器で複数の端末が外部と通信を行うことができる。
【００２８】
また、本発明は、請求項１３に記載のように、端末選択信号の一例として、情報処理装置が出力する受信可能状態を示す信号（例えばＥＲ信号）を用いている。
【００２９】
また、本発明は、請求項１４に記載のように、端末選択信号の一例として、情報処理装置が出力する変復調器への送信を要求をするための信号（ＲＳ信号）を用いている。
【００３０】
また、本発明は、請求項１５に記載のように、端末選択信号の一例として、情報処理装置が出力する変復調器へのＡＴコマンド等の制御コマンドを用いている。
【００３１】
また、請求項１６記載の伝送経路確立方法は、請求項１２記載の伝送経路確立方法において、更に、前記第１段階により収集する端末選択信号を、前記情報処理装置が出力する受信可能状態を示す信号、前記情報処理装置が出力する前記変復調器への送信を要求するための信号、及び前記情報処理装置が出力する前記変復調器への制御コマンドの中から少なくともいずれか一つを選択する第３段階を有することを特徴とする。請求項１６記載の発明によれば、端末選択信号を選択することができるようにしたので、利用者にニーズに応じて、伝送路を確立できる。
【００３２】
また、請求項１７記載の伝送路確立方法は、通信回線を介して接続される外部との間で送受信する信号を変復調する変復調器と、所定の情報処理装置が接続される複数のポート間の伝送経路を確立する伝送路確立方法であって、前記各ポートが出力する前記変復調器への制御コマンドを収集する第１段階と、前記第１段階で収集した制御コマンドの出力に応じて、前記変復調器と前記制御コマンドを出力したポート間の伝送路を確立する第２段階とを有することを特徴とする。
【００３３】
請求項１７記載の発明によれば、収集した制御コマンドの出力に応じて、変復調器と制御コマンドを出力したポート間の伝送路を確立するようにしたので、１つの変復調器で複数の端末が外部と通信を行うことができる。
【００３４】
また、本発明は、請求項１８に記載のように、請求項１７記載の伝送路確立方法において、前記第１段階は、前記変復調器と前記各ポート間に、前記各ポートに対応して設けられた電圧切換器に対するサンプリングにて、前記各ポートが出力する制御コマンドを収集することを特徴とする。
【００３５】
請求項１８記載の発明によれば、電圧変換部に対するサンプリングにて、各ポートが出力する制御コマンドを収集するようにしたので、制御コマンドを出力するポートを適切に監視することができる。
【００３６】
また、請求項１９記載の伝送路確立方法は、請求項１２から請求項１８のいずれか一項に記載の伝送路確立方法において、更に、前記通信回線から受信する信号中から識別子を検出する第３段階と、前記第３段階の検出結果に応じて、前記通信回線の着信先を、前記変復調器側又は内線側に切り替える第４段階とを有することを特徴とする。請求項１９記載の発明によれば、検出手段が検出した識別子に応じて、通信回線の着信先を、変復調器又は内線に切り替えることができる。
【００３７】
また、請求項２０記載の伝送路確立方法は、請求項１９記載の伝送経路確立方法において、更に、前記第４段階により前記通信回線の着信先を前記変復調器側に切り替えた際に、前記変復調器と前記第３段階により検出した識別子に対応する前記ポート間の伝送路を確立する第５段階を有することを特徴とする。請求項２０記載の発明によれば、通信回線の着信先を変復調器側に切り替えた際に、変復調器と識別子に対応するポート間の伝送路を確立するようにしたので、１つの変復調器で外部が複数の端末と通信を行うことができる。
【００３８】
また、本発明は、請求項２１に記載のように、請求項１９又は請求項２０記載の伝送経路確立方法において、前記第４段階は、前記通信回線から着信があった後、所定期間内に前記識別子が検出されないときは、前記通信回線の着信先を前記内線側に切り替えることを特徴とする。請求項２１記載の発明によれば、通信回線から着信があった後、所定期間内に前記識別子が検出されないときは、前記通信回線の着信先を前記内線側に切り替えるようにしたので、適切に外部と内線を接続することができる。
【００３９】
【発明の実施の形態】
（第１の実施の形態）
以下、本発明を適用した第１実施形態について説明する。図２は、第１実施形態に係るシステム概要を示す図である。図２に示すように、システム２０は、モデム２１を内臓する回線切替器２２、通信回線３を介して接続されるホスト４、内線２５を介して接続される電話２６、第１シリアル通信線２７、第２シリアル通信線２８を介して接続される第１の端末２９、第２の端末３０を備える。この回線切替器２２は、モデム２１を１つ備え、第１の端末２９、第２の端末３０のどちらからでもモデム制御ができるようになっている。
【００４０】
次に、回線切替器２２について説明する。図３は、第１実施形態に係る回線切替器２２のブロック図である。図３に示すように、回線切替器２２は、モデム２１、電圧変換部３１、３２、ＣＰＵ（Ｃｅｎｔｒａｌ  ｐｒｏｃｅｓｓｉｎｇ  Ｕｎｉｔ）３３、着信検出ＩＤ切替部３４、ポート３６、３７、切替スイッチ３８、信号選択スイッチ３９、リレーＲＹを備える。回線切替器２２には、電話２６、第１の端末２９、第２の端末３０、ホスト４に接続されている。第１の端末２９、第２の端末３０が第１情報処理装置又は情報処理装置に相当し、ホスト４が第２情報処理装置に相当する。
【００４１】
モデム２１は、通信回線３を介して接続されるホスト４との間で送受信する信号を変復調する。このモデム２１は、第１電圧変換部３１、第２電圧変換部３２、リレーＲＹ、着信検出ＩＤ切替部３４に接続されている。モデム２１は、ＲＳ２３２Ｃ信号線郡３５を介して電圧変換部３１、３２に接続されている。電圧変換部３１、３２は、ドライバとして機能し、モデム２１と第１の端末２９、第２の端末３０間の通信を制御する。
【００４２】
電圧変換部３１、３２は、ＲＳ２３２Ｃ信号線郡、ポート３６、３７、第１シリアル通信線２７、第２シリアル通信線２８を介して、第１の端末２９、第２の端末３０に接続されている。ポート３６は、第１の端末２９、第２の端末を接続するコネクタとして機能する。電話２６は、内線２５を介してリレーＲＹの一端に接続されている。リレーＲＹは、通信回線３の接続先を、モデム２１又は内線が接続される電話２６に切り替えるものである。
【００４３】
ＣＰＵ３３は、回線切替器２２全体を制御するものである。このＣＰＵ３３は、第１電圧変換器３１、第２電圧変換器３２、着信検出ＩＤ切替部３４、切替スイッチ３８、信号選択スイッチ３９が接続されている。ＣＰＵ３３のフォースオフ（ＦＯＲＣＥＯＦＦ）１、２端子は、第１電圧変換部３１及び第２電圧変換部３２の各フォースオフ（ＦＯＲＣＥＯＦＦ）端子に接続されている。ＣＰＵ３３は、伝送路確立手段として機能し、フォースオフ端子をオンオフ制御することにより、電圧変換部３１、３２の起動を制御する。
【００４４】
また、ＣＰＵ３３は、第１の端末２９からのＥＲ信号、ＲＳ信号、ＳＤ信号の出力を第１の端末用のＥＲ１端子、ＲＳ１端子、ＳＤ１端子により監視する。同様に、ＣＰＵ３３は、第２端末２９からのＥＲ信号、ＲＳ信号、ＳＤ信号の出力を第２の端末用のＥＲ２端子、ＲＳ２端子、ＳＤ２端子により監視する。
【００４５】
ＣＰＵ３３は、収集手段として機能し、第１電圧変換部３１、第２電圧変換部３２に対するサンプリングにて、各ポート３６、３７が出力する端末選択信号を収集する。なお、ＥＲ信号、ＲＳ信号、ＳＤ信号に現れるＡＴコマンドが端末選択信号に相当する。
【００４６】
モデム２１、第１の端末２９、第２の端末３０のＥＲ（Ｅｑｕｉｐｍｅｎｔ  Ｒｅａｄｙ）信号は、端末側が受信可能な状態であるか否かを表示する信号である。ＲＳ（Ｒｅｑｕｅｓｔ  ｔｏ  Ｓｅｎｄ）信号は、端末からモデムに対する送信を要求するための信号で、モデムはこの信号がオンの間、相手局のモデムに対してキャリアを送出するようになっている。ＳＤ（Ｓｅｎｄ  Ｄａｔａ）信号は、端末からモデムに送出されるシリアルデータである。
【００４７】
ＤＲ（Ｄａｔａ  Ｓｅｔ  Ｒｅａｄｙ）信号は、モデムと接続されたことを示す信号である。ＣＳ（Ｃａｒｒｉｅｒ  Ｄｅｔｅｃｔ）信号は、キャリアを送り出していることを示す信号である。ＲＤ（Ｒｅｃｅｉｖｅ  Ｄａｔａ）信号は、受信データである。ＣＤ（Ｃａｒｒｉｅｒ  Ｄｅｔｅｃｔ）信号は、相手局からのキャリアを受信中であることを示す信号である。ＣＩ信号は、被呼されたことを表示するための信号である。
【００４８】
着信検出ＩＤ切替部３４は、着信切替手段として機能し、通信回線３を介して、発信側のホスト４から送出されるＩＤ（ｉｄｅｎｔｉｆｉｃａｔｉｏｎ）を検出し、ＩＤに応じてリレーＲＹ又はＣＰＵ３３を介して第１電圧変換部３１、第２電圧変換部３２を駆動させて、内線２５又はモデム２１に着信させるものである。
【００４９】
切替スイッチ３８は、例えばトグルスイッチで構成され、モデム２１と第１の端末２９、第２の端末３０間の伝送路の確立を、第１の端末２９、第２の端末３０が出力するＥＲ信号、ＲＳ信号で行うか、又はＡＴコマンドで行うかを選択するためのスイッチである。なお、第１実施形態では、モデム２１と端末２９、２０間の伝送路の確立を第１の端末２９、第２の端末３０が出力するＥＲ信号又はＲＳ信号で行う実施の形態について説明し、第２実施形態において、ＡＴコマンドを用いる実施の形態について説明する。
【００５０】
信号選択スイッチ３９は、例えばトグルスイッチで構成され、モデム２１と端末２９、３０間の伝送路の確立をＥＲ信号で行うか又はＲＳ信号で行うかを選択するためのスイッチである。なお、切替スイッチ３８及び信号選択スイッチ３９が選択スイッチに相当する。
【００５１】
次に、第１実施形態に係る回線切替器の動作について説明する。ここでは、第１の端末２９又は第２の端末３０からホスト４に発呼して通信を行う場合と、ホスト４からの発呼による通信を行う場合の動作を説明する。まず、第１の端末２９又は第２の端末３０からホスト４に発呼して通信を行う場合について説明する。
【００５２】
図４は、第１実施形態に係る回線切替器の動作フローチャートである。ステップＳ１０１において、ＣＰＵ３３は、信号選択スイッチ３９でＥＲ信号側が選択されているかどうかを検出し、信号選択スイッチ３９でＥＲ信号側が選択されている場合は、ステップＳ１０２に進み、第１シリアル通信線２７のＥＲ信号がオン状態にあるかどうかを検出する。
【００５３】
ステップＳ１０２において、ＣＰＵ３３は、第１シリアル通信線２７のＥＲ信号がオン状態にある場合には、ステップＳ１１０に進む。ステップＳ１１０において、ＣＰＵ３３は、第１電圧変換部３１へのフォースオフ信号を起動状態にして、第１の端末２９と、モデム２１間の伝送路を確立する。
【００５４】
ステップＳ１０２において、ＣＰＵ３３は、第１シリアル通信線２７のＥＲ信号がオン状態でない場合には、ステップＳ１０３に進み、第２シリアル通信線２８のＥＲ信号がオン状態にあるかどうかを検出し、第２シリアル通信線２８のＥＲ信号がオン状態にある場合には、ステップＳ１２０に進む。
【００５５】
ステップＳ１２０において、ＣＰＵ３３は、第２電圧変換部３２へのフォースオフ信号を起動状態にして、第２の端末３０とモデム２１間の伝送路を確立する。ステップＳ１０３において、ＣＰＵ３３は、第２シリアル通信線２８のＥＲ信号がオン状態にない場合には、ステップＳ１０２に戻り、上記処理を繰り返す。
【００５６】
一方、ステップＳ１０１において、ＣＰＵ３３は、信号選択スイッチ３９で、ＲＳ信号側が選択されている場合は、ステップＳ１０４に進み、第１シリアル通信線２７のＲＳ信号がオン状態にあるかどうかを検出する。ステップＳ１０４において、ＣＰＵ３３は、第１シリアル通信線２７のＲＳ信号がオン状態にある場合には、ステップＳ１１０に進む。ステップＳ１１０において、ＣＰＵ３３は、第１電圧変換部３１へのフォースオフ信号を起動状態にして、第１の端末２９とモデム２１間の伝送路を確立する。
【００５７】
ステップＳ１０４において、ＣＰＵ３３は、第１シリアル通信線２７のＲＳ信号がオン状態にない場合には、ステップＳ１０５に進み、第２シリアル通信線２８のＲＳ信号がオン状態にあるかどうかを検出する。
【００５８】
ステップＳ１０５において、ＣＰＵ３３は、第２シリアル通信線２８のＲＳ信号がオン状態にある場合には、ステップＳ１２０に進む。ステップＳ１２０において、ＣＰＵ３３は、第２電圧変換部３２へのフォースオフ信号を起動状態にして、第２の端末３０と、モデム２１間の伝送路を確立する。ステップＳ１０５において、ＣＰＵ３３は、第２シリアル通信線２８のＲＳ信号がオン状態にない場合には、ステップＳ１０４に戻り、上記処理を繰り返す。
【００５９】
次に、上記図４の点線で示したＰ１の箇所の動作について詳細に説明する。つまり、ＥＲ信号を用いて端末とモデム間との経路を確立する場合の動作について説明する。図５は、ＥＲ信号を用いて伝送路を確立する場合のタイミングチャートである。なお、以下では、第１の端末２９がホスト４に接続する場合について説明する。
【００６０】
図５において、同図（ａ）は第１の端末２９のＥＲ信号、（ｂ）はＲＳ信号、（ｃ）はＳＤ信号をそれぞれ示している。ＣＰＵ３３は、端末１用のＥＲ１端子を用いて、第１の端末２９のＥＲ信号のオン／オフを監視する。
【００６１】
また、図５（ｄ）は第１電圧変換部３１のフォースオフ端子の状態、（ｅ）はＥＲ信号、（ｆ）はＲＳ信号、（ｇ）はＳＤ信号、（ｈ）はＤＲ信号、（ｉ）はＣＳ信号、（ｊ）はＲＤ信号、（ｋ）はＣＰＵ３３のＥＲ１端子の走査結果をそれぞれ示している。図５（ｄ）のフォースオフ端子がアクティブの時に、（ｅ）〜（ｊ）の各信号線がアクティブとなり、（ｄ）のフォースオフ端子がアクティブでない時は、（ｅ）〜（ｊ）の各信号線がハイインピーダンスとなる。
【００６２】
また、図５（ｌ）は第２電圧変換部３２のフォースオフ端子の状態、（ｍ）はＥＲ信号、（ｎ）はＲＳ信号、（ｏ）はＳＤ信号、（ｐ）はＤＲ信号、（ｑ）はＣＳ信号、（ｒ）はＲＤ信号、（ｓ）はＣＰＵ３３のＥＲ２端子の走査結果をそれぞれ示している。図５（ｌ）のフォースオフ端子がアクティブの時に、（ｍ）〜（ｒ）の各信号がアクティブになり、（ｌ）のフォースオフ端子がアクティブでない時は、（ｍ）〜（ｒ）の各信号線がハイインピーダンスとなる。
【００６３】
まず、ＣＰＵ３３は、第１の端末２９、第２の端末３０からのＥＲ信号起動を第１電圧変換部３１、第２電圧変換部３２のサンプリング（ｅｎａｂｌｅ−ｄｉｓａｂｌｅの繰り返し）で情報を収集する。
【００６４】
より詳細には、ＣＰＵ３３は、第１電圧変換部３１のフォースオフ端子をアクティブにする（＊１）。この時、図５（ａ）の第１の端末２９のＥＲ信号がオフ状態であるため、同図（ｋ）のＣＰＵ３３のＥＲ１端子の走査結果は０となる。
【００６５】
次に、ＣＰＵ３３は、第２電圧変換部３２のフォースオフ端子をアクティブにする（＊２）。この時、図示は省略するが、第２の端末３０のＥＲ信号がオフ状態であるため、図５（ｓ）のＣＰＵ３３のＥＲ２端子の走査結果は０となる。
【００６６】
次に、第１電圧変換部３１のフォースオフ端子をアクティブにする（＊３）。この時、図５（ａ）のＥＲ信号が起動状態となっているので（＊４）、同図（ｋ）のＣＰＵのＥＲ１端子の走査結果は１となる。次に、ＣＰＵ３３は、第１の端末２９に対応する第１電圧変換部３１を常時起動させる。以後、ＣＰＵ３３は、第１電圧変換部３１、第２電圧変換部３２のサンプリングでの情報収集を終了する（＊５、＊６）。これにより、第１の端末２９とモデム２１間の各信号線が接続され、第１の端末２９とモデム２１間の伝送路が確立される。よって、第１の端末２９は、通信回線３を介してホスト４と通信を行うことができる。
【００６７】
次に、上記図４の点線で示したＰ２の箇所の動作について詳細に説明する。次に、ＲＳ信号を用いて端末とモデム間との経路を確立する場合の動作について説明する。図６は、ＥＲ信号が選択された場合のタイミングチャートである。なお、以下では、第１の端末２９がホスト４に接続する場合について説明する。
【００６８】
図６において、同図（ａ）は第１の端末２９のＥＲ信号、（ｂ）はＲＳ信号、（ｃ）はＳＤ信号をそれぞれ示している。ＣＰＵ３３は、端末１用のＲＳ１端子を用いて、第１の端末２９のＲＳ信号のオン／オフを監視する。
【００６９】
また、図６（ｄ）は第１電圧変換部３１のフォースオフ端子の状態、（ｅ）はＥＲ信号、（ｆ）はＲＳ信号、（ｇ）はＳＤ信号、（ｈ）はＤＲ信号、（ｉ）はＣＳ信号、（ｊ）はＲＤ信号、（ｋ）はＣＰＵ３３のＲＳ１端子の走査結果をそれぞれ示している。図６（ｄ）のフォースオフ端子がアクティブの時に、（ｅ）〜（ｊ）の各信号線がアクティブになり、（ｄ）のフォースオフ端子がアクティブでない時に、（ｅ）〜（ｊ）の各信号線がハイインピーダンスとなる。
【００７０】
また、図６（ｌ）は第２電圧変換部３２のフォースオフ端子の状態、（ｍ）はＥＲ信号、（ｎ）はＲＳ信号、（ｏ）はＳＤ信号、（ｐ）はＤＲ信号、（ｑ）はＣＳ信号、（ｒ）はＲＤ信号、（ｓ）はＣＰＵ３３のＲＳ１端子の走査結果をそれぞれ示している。図６（ｌ）のフォースオフ端子がアクティブの時に、（ｍ）〜（ｒ）の各信号がアクティブになり、（ｌ）のフォースオフ端子がアクティブでない時に、（ｍ）〜（ｒ）の各信号線がハイインピーダンスとなる。
【００７１】
まず、ＣＰＵ３３は、第１の端末２９、第２の端末３０からのＲＳ信号起動を第１電圧変換部３１、第２電圧変換部３２のサンプリング（ｅｎａｂｌｅ−ｄｉｓａｂｌｅの繰り返し）で情報を収集する。
【００７２】
より詳細には、ＣＰＵ３３は、第１電圧変換部３１のフォースオフ端子をアクティブにする（＊１１）。この時、図６（ｂ）の第１の端末２９のＲＳ信号がオフであるため、同図（ｋ）のＣＰＵ３３のＲＳ１端子の走査結果は０となる。
【００７３】
次に、ＣＰＵ３３は、第２電圧変換部３２のフォースオフ端子をアクティブにする（＊１２）。この時、図示は省略するが、第２の端末３０のＲＳ信号がオフ状態であるため、図６（ｓ）のＣＰＵ３３のＲＳ２端子の走査結果は０となる。
【００７４】
次に、ＣＰＵ３３は、第１電圧変換部３１のフォースオフ端子をアクティブにする（＊１３）。この直後、図６（ｂ）のＥＲ信号が起動状態となっているので（＊１４）、同図（ｋ）のＣＰＵのＲＳ１端子の走査結果は１となる。ＣＰＵ３３は、第１の端末２９に対応する第１電圧変換部３１を常時起動させる。以後、ＣＰＵ３３は、第１電圧変換部３１、第２電圧変換部３２のサンプリングでの情報収集を終了する（＊１５、＊１６）。これにより、第１の端末２９とモデム２１間の各信号線が接続され、第１の端末２９とモデム２１間の伝送路が確立される。よって、第１の端末２９は、通信回線３を介してホスト４と通信を行うことができる。
【００７５】
次に、ホスト４からの発呼による通信を行う場合の動作を説明する。着信があると、回線切替器２２が自動応答し、通信回線３を介して、発信側から送出されるＩＤを着信検出ＩＤ切替部３４が検出し、検出したＩＤに応じてリレーＲＹ又はＣＰＵ３３を介して第１電圧変換部３１、第２電圧変換部３２を駆動して、内線又はモデムに着信させる。
【００７６】
なお、着信があると、回線切替器２２が自動応答し、一定期間内に着信検出ＩＤ切替部３４がＩＤを受信しなかった場合は内線電話２６に着信させる。これにより、外部のホスト４は、第１の端末２９又は第２の端末３０と通信を行うことができる。
【００７７】
以上本実施の形態によれば、ＥＲ信号、ＲＳ信号等の端末選択信号に応じて、モデム２１とＥＲ信号、ＲＳ信号等の端末選択信号を出力したポート間の伝送路を確立するようにしたので、１つの変復調器で複数の端末が外部と通信を行うことができる。これにより、簡単に、複数の端末から１個のモデム２１を制御することができる。
【００７８】
（第２実施形態）
次に、第２実施形態に係る回線切替器について説明する。第２実施形態では、ＡＴコマンド用いて端末とモデム間の経路を選択するようにしたものである。第２実施形態に係る回線切替器は、第１実施形態に係る回線切替器２２と構成が同一であるため、図３を用いて説明する。
【００７９】
図７は、第２実施形態に係る回線切替器の動作フローチャートである。ステップＳ２０１において、ＣＰＵ３３は、第１シリアル通信線２７からＡＴコマンドを受信したかどうかを検出し、第１シリアル通信線２７からＡＴコマンドを受信した場合には、ステップＳ２１０に進み、第１の端末２９とモデム２１との伝送路を確立する。
【００８０】
ステップＳ２０１において、ＣＰＵ３３は、第１シリアル通信線２７からＡＴコマンドを受信していない場合には、ステップＳ２０２に進み、第２シリアル通信線２８からＡＴコマンドを受信したかどうかを検出する。ステップ２０２において、ＣＰＵ３３は、第２シリアル通信線２８からＡＴコマンドを受信した場合には、第２の端末３０とモデム２１間の伝送路を確立する。
【００８１】
次に、ＡＴコマンドを用いて端末とモデム間との経路を確立する場合の動作について説明する。図８は、ＡＴコマンド用いて伝送路を確立する場合のタイミングチャートである。なお、以下では、第１の端末２９がホスト４に接続する場合について説明する。
【００８２】
図８において、同図（ａ）は第１の端末２９のＥＲ信号、（ｂ）はＲＳ信号、（ｃ）はＳＤ信号をそれぞれ示している。ＣＰＵ３３は、端末１用のＳＤ１端子を用いて、第１の端末２９からのＡＴコマンドを監視する。ＡＴコマンドは、（ｃ）のＳＤ信号に現れる。
【００８３】
また、図８（ｄ）は第１電圧変換部３１のフォースオフ端子の状態、（ｅ）はＥＲ信号、（ｆ）はＲＳ信号、（ｇ）はＳＤ信号、（ｈ）はＤＲ信号、（ｉ）はＣＳ信号、（ｊ）はＲＤ信号、（ｋ）はＣＰＵ３３のＳＤ１端子の走査結果をそれぞれ示している。図８（ｄ）のフォースオフ端子がアクティブの時に、（ｅ）〜（ｊ）の各信号線がアクティブとなり、（ｄ）のフォースオフ端子がアクティブでない時は、（ｅ）〜（ｊ）の各信号線がハイインピーダンスとなる。
【００８４】
また、図８（ｌ）は第２電圧変換部３２のフォースオフ端子の状態、（ｍ）はＥＲ信号、（ｎ）はＲＳ信号、（ｏ）はＳＤ信号、（ｐ）はＤＲ信号、（ｑ）はＣＳ信号、（ｒ）はＲＤ信号、（ｓ）はＣＰＵ３３のＳＤ２端子の走査結果をそれぞれ示している。図８（ｌ）のフォースオフ端子がアクティブの時に、（ｍ）〜（ｒ）の各信号がアクティブとなり、（ｌ）のフォースオフ端子がアクティブでない時は、（ｍ）〜（ｒ）の各信号線がハイインピーダンスとなる。
【００８５】
まず、ＣＰＵ３３は、起動したい端末からのＡＴコマンドを各電圧変換部３１、３２のサンプリング（ｅｎａｂｌｅ−ｄｉｓａｂｌｅの繰り返し）で情報を収集する。
【００８６】
より詳細には、ＣＰＵ３３は、第１電圧変換部３１のフォースオフ端子をアクティブにする（＊２１）。この時、図８（ｃ）の第１の端末２９のＳＤ信号にＡＴコマンドが現れていないので、同図（ｋ）のＣＰＵ３３のＳＤ１端子に割込要求は発生しない。
【００８７】
次に、ＣＰＵ３３は、第２電圧変換部３２のフォースオフ端子をアクティブにする（＊２２）。この時、図示は省略するが、第２の端末３０のＳＤ信号にＡＴコマンドは現れていないので、図８（ｓ）のＣＰＵ３３のＳＤ２端子に割込要求は発生しない。
【００８８】
次に、第１電圧変換部３１のフォースオフ端子をアクティブにする（＊２３）。この直時、図８（ｃ）のＳＤ信号にＡＴコマンドが現れているので、（＊２４）、同図（ｋ）のＣＰＵ３３のＳＤ１端子に割込要求が発生する。ＣＰＵ３３は、第１の端末２９に対応する第１電圧変換部３１を常時起動させる。以後、ＣＰＵ３３は、第１電圧変換部３１、第２電圧変換部３２のサンプリングでの情報収集を終了する（＊２５、＊２６）。これにより、第１の端末２９とモデム２１間の各信号線が接続され、第１の端末２９とモデム２１間の伝送路が確立される。従って、第１の端末２９は、通信回線３を介してホスト４と通信を行うことができる。
【００８９】
以上本実施の形態によれば、ＡＴコマンド等の制御コマンドの出力に応じて、モデム２１とＡＴコマンドを出力したポート間の伝送路を確立するようにしたので、１つの変復調器で複数の端末が外部と通信を行うことができる。
【００９０】
以上本発明の好ましい実施の形態について詳述したが、本発明は係る特定の実施形態に限定されるものではなく、特許請求の範囲に記載された本発明の要旨の範囲内において、種々の変形・変更が可能である。
【００９１】
【発明の効果】
以上説明したように、本発明によれば、簡単な構成で、１つの変復調器で複数の端末が外部と通信を行うことができる回線切替器、これを用いたシステム及び伝送路確立方法を提供できる。
【００９２】
【図面の簡単な説明】
【図１】従来のシステム概要を示す図である。
【図２】第１実施形態に係るシステム概要を示す図である。
【図３】第１実施形態に係る回線切替器のブロック図である。
【図４】第１実施形態に係る回線切替器の動作フローチャートである。
【図５】ＥＲ信号を用いて伝送路を確立する場合のタイミングチャートである。
【図６】ＥＲ信号が選択された場合のタイミングチャートである。
【図７】第２実施形態に係る回線切替器の動作フローチャートである。
【図８】ＡＴコマンド用いて伝送路を確立する場合のタイミングチャートである。
【符号の説明】
２０  システム
２１  モデム
２２  回線切替器
２５  内線
２７  第１シリアル通信線
２８  第２シリアル通信線
２９  第１の端末
３０  第２の端末
３１  第１電圧変換部
３２  第２電圧変換部
３３  ＣＰＵ
３４  着信検出ＩＤ切替部
３６、３７  ポート
３８  切替スイッチ
３９  信号選択スイッチ
【図１】
2004357087.tif 000003
【図２】
2004357087.tif 000004
【図３】
2004357087.tif 000005
【図４】
2004357087.tif 000006
【図５】
2004357087.tif 000007
【図６】
2004357087.tif 000008
【図７】
2004357087.tif 000009
【図８】
2004357087.tif 000010